(57)【要約】      （修正有）【課題】固体潤滑転がり軸受の作動初期にも固体潤滑剤の供給量が充分であるようにして、軸受回転トルクを作動初期から低く安定させること。【解決手段】内輪１と外輪２の間で保持器３によって回転自在に保持される複数の転動体４について、その１以上の転動体が固体潤滑剤を含有する複合材からなる深溝玉軸受型の固体潤滑転がり軸受であり、その保持器３は、表面のうち少なくとも転動体４との摩擦面を形成する表層部の固体潤滑皮膜３ａを、固体潤滑剤で形成するか、または固体潤滑剤を含む複合材で形成する。複数のボール型の転動体４は、軸受荷重が負荷される負荷転動体４ａと、これより小径で軸受荷重が負荷されない１以上の非負荷転動体４ｂからなり、非負荷転動体４ｂは固体潤滑剤を含有する複合材で形成する。このような固体潤滑転がり軸受をテンタクリップ支持用固体潤滑転がり軸受として用いる。【選択図】図２
2009281532.tif 000002
【特許請求の範囲】
【請求項１】
内輪と外輪の間で保持器によって回転自在に保持される複数の転動体のうち、１以上の転動体が固体潤滑剤を含有する複合材からなる転がり軸受において、
前記保持器が、表面を固体潤滑剤またはそれを含む複合材で形成されたものであることを特徴とする固体潤滑転がり軸受。
【請求項２】
固体潤滑剤またはそれを含む複合材で形成される保持器の表面が、転動体との摩擦面である請求項１に記載の固体潤滑転がり軸受。
【請求項３】
複数の転動体が、軸受荷重が負荷される負荷転動体と、これより小径で軸受荷重が負荷されない非負荷転動体からなり、少なくとも１以上の非負荷転動体が固体潤滑剤を含有する複合材からなる請求項１または２に記載の固体潤滑転がり軸受。
【請求項４】
非負荷転動体の直径Ａが、負荷転動体の直径を１．０とした場合に０．８≦Ａ＜１．０である請求項３に記載の固体潤滑転がり軸受。
【請求項５】
固体潤滑剤が、二硫化タングステンまたは二硫化モリブデンである請求項１〜４のいずれかに記載の固体潤滑転がり軸受。
【請求項６】
固体潤滑剤を含む複合材が、金属材中に固体潤滑剤を分散させた焼結体からなる複合材である請求項１〜５のいずれかに記載の固体潤滑転がり軸受。
【請求項７】
固体潤滑剤を含有する複合材が、タングステン合金中に二硫化タングステンを分散させた焼結体からなる複合材である請求項６に記載の固体潤滑転がり軸受。
【請求項８】
固体潤滑剤を含有する複合材が、タングステン合金中に二硫化タングステンを８０体積％以上分散させた焼結体からなる複合材である請求項７に記載の固体潤滑転がり軸受。
【請求項９】
請求項１〜８のいずれかに記載の固体潤滑転がり軸受からなるフィルム延伸機のテンタクリップ支持用固体潤滑転がり軸受。
【請求項１０】
請求項９に記載の固体潤滑転がり軸受を用いてテンタクリップを支持したフィルム延伸機。
【発明の詳細な説明】
【技術分野】
【０００１】
この発明は、固体潤滑転がり軸受に関し、例えばフィルム延伸機のテンタクリップの支持用転がり軸受のように高温の使用条件に耐える固体潤滑転がり軸受に関する。
【背景技術】
【０００２】
高温の使用条件に耐える転がり軸受の一例としてフィルム延伸機のテンタクリップ用軸受が知られている。
図５および図６を利用して説明すると、フィルム延伸機１１は、溶融押出し機１４により押出された樹脂の原反シート１３を調製する際、原反シート１３の縁部を複数のテンタクリップで挟んで保持し、原反シート１３を広げるように引張りながら搬送して、連続的に延伸する機能を有する。
【０００３】
テンタクリップは、ガイドレールにガイドローラとしての外輪回転の転がり軸受を介して支持され、フィルム搬送用のガイドレールに沿って所定区間を周回し、繰り返して上記延伸工程に使用される。
【０００４】
このような延伸工程では、被処理フィルムを、例えば１５０〜２５０℃程度の所要温度に保持するので、このような高温使用条件に耐えるテンタクリップの機構部には、耐熱性に優れた転がり軸受が使用されている。
【０００５】
従来のテンタクリップの機構部には、潤滑グリースを封入した転がり軸受を用いることが知られており、このような転がり軸受には潤滑油や潤滑グリースの封入にシール構造が重要な機能を果たしている（特許文献１）。
【０００６】
しかし、高温の使用条件ではゴム製シールの弾性が低下し、シールに必要ないわゆるラビリンス構造を維持できなくなる。また潤滑油やグリースは、粘度が低下し、基油や増ちょう剤その他の添加剤が熱分解するなどの不安定要因が生じやすく、安定した転がり軸受の低トルク回転が望めなくなる懸念があった。
【０００７】
高温雰囲気でも安定した作動が求められる転がり軸受の潤滑方式としては、上記した油潤滑やグリース潤滑に代えて固体潤滑方式が採用できる。
例えば、固体潤滑転がり軸受用の固体潤滑剤として、ポリテトラフルオロエチレン（ＰＴＦＥ）などが周知であるが、これは３００℃を超える温度では熱分解する等の理由により使用温度の限界は金属系固体潤滑剤に比べると低いものである。
【０００８】
ＰＴＦＥより高温の条件でも使用できる固体潤滑剤としては、二硫化タングステンや二硫化モリブデンなどの金属系固体潤滑剤が知られており、これらを転動体の表面に潤滑被膜として設けた固体潤滑転がり軸受も知られている（特許文献２、特許文献３）。
【０００９】
また、転がり軸受の転動体が、軸受荷重が負荷される負荷転動体と、これより小径で軸受荷重が負荷されない非負荷転動体からなり、非負荷転動体の１つ以上が二硫化タングステンを９０体積％以上含有する焼結材で形成され、さらに内輪と外輪の表面に二硫化モリブデンまたは二硫化タングステンからなる固体潤滑皮膜を設けた例が知られている（特許文献４）。
【００１０】
【特許文献１】特開２００７−２３２０８９号公報
【特許文献２】特開２００８−０１４３９４号公報
【特許文献３】特開２００５−０４８８５２号公報
【特許文献４】特開２００５−１３３８８１号公報
【発明の開示】
【発明が解決しようとする課題】
【００１１】
しかし、上記した従来の固体潤滑転がり軸受について、非負荷転動体の１つ以上が二硫化タングステンを含有する焼結材で形成され、さらに内輪と外輪の表面に二硫化モリブデンまたは二硫化タングステンからなる固体潤滑皮膜を設けたものでは、転がり軸受の作動初期に、非負荷転動体から摩擦面に供給される固体潤滑剤の量が不充分になりやすく、軸受回転トルクを作動初期に低く安定させることが難しいという問題点がある。
【００１２】
また、このような転がり軸受が、テンタクリップの支持軸受として使用された場合、始動時に複数の転がり軸受の回転トルクが異なる状態になることが予想され、その際にはそれぞれのテンタクリップの走行速度が異なるために安定した張力でフィルムを延伸できず、そのため延伸フィルムに歪みなどが生じ、安定した品質で製造できないことにもなる。
【００１３】
そこで、この発明の課題は、上記した問題点を解決して、固体潤滑転がり軸受の作動初期にも固体潤滑剤の供給量が充分であるようにして、軸受回転トルクを作動初期から低く安定させることである。
【００１４】
また、フィルム延伸機のテンタクリップ支持用の固体潤滑転がり軸受においては、始動時から回転トルクを低く安定させ、複数のテンタクリップの走行速度を一定に安定させることである。
【００１５】
または、テンタクリップを支持するフィルム延伸機が、始動時から安定した延伸作用が得られるものとし、歪みのない均質なフィルムを安定して生産できるようにすることである。
【課題を解決するための手段】
【００１６】
上記の固体潤滑転がり軸受の課題を解決するために、内輪と外輪の間で保持器によって回転自在に保持される複数の転動体のうち、１以上の転動体が固体潤滑剤を含有する複合材からなる転がり軸受において、前記保持器が、表面を固体潤滑剤またはそれを含む複合材で形成したものである固体潤滑転がり軸受としたのである。
【００１７】
上記したように構成されるこの発明の固体潤滑転がり軸受は、固体潤滑剤を含有する複合材からなる転動体と、表面を固体潤滑剤またはそれを含む複合材で形成した保持器を具備しており、転動体および保持器の両方から固体潤滑剤が、始動時より途切れることなく供給されるため、内・外輪の表面などの摩擦面に移着して充分な潤滑作用を奏する。
特に、固体潤滑剤またはそれを含む複合材で形成される保持器の表面は、転動体との摩擦面となる表面であることが好ましい。
【００１８】
上記したように構成されるこの発明の固体潤滑転がり軸受は、固体潤滑剤を含有する複合材からなる１以上の転動体が、固体潤滑剤またはそれを含む複合材で形成された保持器の表面に接する際、接触する両面のいずれにも固体潤滑剤が含まれているため、軸受の低速回転状態でも転動体および保持器の両表面から固体潤滑剤が供給され、これが途切れることなく長時間供給されるため、内・外輪の表面などの摩擦面に移着して充分な潤滑作用を奏する。
このような良好な潤滑作用により、この発明の固体潤滑転がり軸受は、軸受回転トルクを作動初期から低く安定させることができる。
【００１９】
さらに転がり軸受が始動当初または間欠的に回転する際に、低トルク回転状態を充分に安定させるためには、複数の転動体が、軸受荷重が負荷される負荷転動体と、これより小径で軸受荷重が負荷されない非負荷転動体からなり、少なくとも１以上の非負荷転動体が固体潤滑剤を含有する複合材からなる前記の固体潤滑転がり軸受とすることが好ましい。
【００２０】
負荷転動体より小径の非負荷転動体は、負荷転動体より多く回転する場合が多い。特に転がり軸受が始動当初にあるとき、または間欠的に回転と停止を繰り返すような条件では、負荷転動体よりも小径の非負荷転動体の方が保持器に対して頻繁に摩擦接触する。
その際に、非負荷転動体表面から所要の摩擦面に二硫化タングステンまたは潤滑性の良い硫化物を供給する。
【００２１】
このような潤滑作用をより充分に奏させるために、非負荷転動体の直径Ａが、負荷転動体の直径を１．０とした場合に０．８≦Ａ＜１．０である条件を採用することが好ましい。
【００２２】
非負荷転動体の直径が上記所定範囲未満の小径（Ａ＜０．８）では、非負荷転動体が負荷転動体や保持器および内・外輪に摩擦接触した際、転動体表面が接触する効率が低下して潤滑性能が低下するので好ましくなく、また転動体の遊動量が必要以上に大きくなって好ましくない。また上記所定範囲以上の大径（Ａ≧１）では、非負荷転動体に必要以上に高荷重が負荷され、割れが発生する可能性が生じて好ましくない。
【００２３】
この発明に用いる固体潤滑剤は、二硫化タングステンばかりでなく、二硫化モリブデンであってもよい。
【００２４】
そして、上記の作用を、より長時間にわたって安定させるために、転動体を構成する固体潤滑剤を含有する複合材または保持器の少なくとも転動体との接触面を形成する複合材が、金属材中に固体潤滑剤を分散させた焼結体からなる複合材とすることが好ましい。焼結体は、内部の焼結金属の粒子間に多くの固体潤滑剤を保持することができ、固体潤滑剤の供給量を多くし、供給時間を長く持続させることができるからである。
【００２５】
また、固体潤滑剤を含有する複合材が、タングステン合金中に二硫化タングステンを分散させた焼結体からなる複合材である構成を採用することは、低トルクの持続性と共に耐熱性に優れた固体潤滑転がり軸受とするために好ましい。
【００２６】
特に、固体潤滑剤を含有する複合材が、タングステン合金中に二硫化タングステンを８０体積％以上分散させた焼結体からなる複合材であることが上記の作用をより安定させるために好ましいことである。二硫化タングステン８０体積％未満を含有する焼結材で形成された転がり軸受では、２００℃以上の高温での耐久性が所期した程度に発揮されず、望ましい耐久性が確実に得られなくなるので好ましくない。
この発明の固体潤滑転がり軸受は、使用中に二硫化タングステン、その他の硫化物が摩擦面に適当量だけ途切れることなく供給されるので、軸受の耐久寿命が長くなる。
【００２７】
また、非負荷転動体が、二硫化タングステンを全体に含まれているタングステン合金系の焼結材からなることにより、長時間使用した場合に非負荷転動体の表面が多少擦り減っても二硫化タングステン、その他の硫化物からなる固体潤滑剤の摩擦面への供給は常に途切れることなく安定し、摩擦面は充分に潤滑される。
【００２８】
以上のように構成される固体潤滑転がり軸受は、フィルム延伸機のテンタクリップ支持用固体潤滑転がり軸受として用いることができる。または、このような固体潤滑転がり軸受を用いてテンタクリップを支持したフィルム延伸機を構成することができる。
【００２９】
このようにすると、始動時から回転トルクを低く安定させ、複数のテンタクリップの走行速度を一定に安定したフィルム延伸機のテンタクリップ支持用の固体潤滑転がり軸受になる。また、このようなテンタクリップを用いて始動時から安定した延伸作用が得られ、歪みのない均質なフィルムを安定して生産できるフィルム延伸機になる。
【発明の効果】
【００３０】
この発明は、転がり軸受において、１以上の転動体が固体潤滑剤を含有する複合材からなり、かつ保持器の表面を固体潤滑剤またはそれを含む複合材で形成した固体潤滑転がり軸受としたので、固体潤滑転がり軸受の作動初期にも固体潤滑剤の供給量が充分であり、軸受回転トルクを作動初期から低く安定させることができる利点がある。
【００３１】
また、フィルム延伸機のテンタクリップ支持用の固体潤滑転がり軸受においては、始動時から回転トルクが低く安定し、複数のテンタクリップの走行速度を一定に安定させることができる利点がある。
【００３２】
または、テンタクリップを支持するフィルム延伸機が、始動時から安定した延伸作用があるものになり、歪みのない均質なフィルムを安定して生産できるようになる利点がある。
【発明を実施するための最良の形態】
【００３３】
この発明の実施形態の固体潤滑転がり軸受は、特に種類や型式または大きさを限定したものではなく、代表例として深溝玉軸受等を挙げることができ、その実施形態を以下に添付図面に基づいて説明する。
【００３４】
図１〜４に示すように、実施形態は内輪１と外輪２の間で保持器３によって回転自在に保持される複数の転動体４について、その１以上の転動体が固体潤滑剤を含有する複合材からなる深溝玉軸受型の固体潤滑転がり軸受であり、その保持器３は、表面のうち少なくとも転動体４との摩擦面を形成する表層部の固体潤滑皮膜３ａを、固体潤滑剤で形成するか、または固体潤滑剤を含む複合材で形成したものである。
なお、表層部の固体潤滑皮膜３ａばかりでなく、保持器全体は一体的に固体潤滑剤を含む複合材で形成されたものでもよい。
【００３５】
複数のボール型の転動体４は、軸受荷重が負荷される負荷転動体４ａと、これより小径で軸受荷重が負荷されない１以上の非負荷転動体４ｂからなり、非負荷転動体４ｂが固体潤滑剤を含有する複合材で形成されている。
【００３６】
固体潤滑剤を含む複合材で転動体４を形成するには、焼結性金属マトリクス中に固形潤滑剤を分散状態に配合して、この複合化された焼結材料を多面体状に形成し、次いでこれをバレル加工機などによって球形状に研摩加工して製造できる。非負荷転動体の直径Ａは、負荷転動体の直径を１．０とした場合に０．８≦Ａ＜１．０に調整されることが、前述したように転動体の接触効率などの点で好ましい。
【００３７】
固体潤滑剤の種類については、転がり軸受の用途に対応させて選択すればよく、例えば高分子化合物であるＰＴＦＥその他のフッ素化合物、または二硫化モリブデン、グラファイト、窒化ホウ素などの層状構造化合物、その他の非層状化合物として酸化鉛（ＰｂＯ）、フッ化カルシウム（ＣａＦ2）、または軟質金属である鉛、錫、金、銀、銅などが挙げられる。
【００３８】
保持器３の表面を固体潤滑剤で形成するには、表面部分に固体潤滑皮膜を周知の手法によって形成すればよく、具体的にはそのような固体潤滑皮膜をタンブリングまたはスパッタリングによって形成することができる。そのようにして形成された固体潤滑皮膜は、表面から剥がれ難く、安定した膜厚で形成され、始動初期から潤滑性能がよい。
【００３９】
また、保持器３の全体または表面部分に固体潤滑剤を含む複合材を設けるには、固体潤滑剤を配合した粉末焼結材料を用いて全体を焼結成形するか、または保持器素材の表層だけに複合焼結成形することにより設けることができる。
【００４０】
好適な焼結材料の例としては、二硫化タングステンを８０体積％以上含有するタングステン合金を用いた焼結材からなるもの、より好ましくは二硫化タングステンを９０体積％以上含有するタングステン合金を用いた焼結材で形成された物が挙げられる。
【００４１】
複合材料の焼結材中の主成分になる金属マトリクスは、二硫化タングステンであるが、その他に含有される金属材料としては、例えばタングステン（Ｗ）が挙げられ、その他にも銅（Ｃｕ）、スズ（Ｓｎ）、カーボン（Ｃ）などが挙げられる。
【００４２】
上記した実施形態の固体潤滑転がり軸受は、二硫化タングステンなどの固体潤滑剤を含有するタングステン合金などの複合材からなる転動体と、表面を二硫化タングステンまたはそれを含むタングステン合金などの複合材で形成した保持器の両方から固体潤滑剤が途切れることなく長時間供給されるため、内・外輪の表面などの摩擦面には移着した固体潤滑剤による充分な潤滑作用が奏される。
【００４３】
図５に示すようにフィルム延伸機は、上記した実施形態の固体潤滑転がり軸受をテンタクリップ支持用固体潤滑転がり軸受として用いたものである。
【００４４】
フィルム延伸機１１は、熱可塑性高分子化合物１２を溶融して未延伸状態のフィルム１３として押し出す押出し機１４と、押し出されたフィルム１３を受ける冷却ドラム１５と共に、次の各工程を行う手段を備えている。
【００４５】
すなわち、冷却ドラム１５で冷却されたフィルム１３を送る送りローラ１６と、この送りローラ１６で送られるフィルム１３に調湿処理を施す水槽１７と、この水槽１７で調湿処理されたフィルム１３を挟み込んで表面の水滴を除去する水切り装置１８とを備える。
また、水切り処理後のフィルム１３を縦および横方向に２軸延伸する２軸延伸機１９と、この２軸延伸機１９で形成されたフィルム１３を巻き取る回収ローラ２０とを備える。
【００４６】
２軸延伸機１９の構成要素として、図６に示す横延伸装置３０を設け、この横延伸装置３０にテンタクリップ２１を備えている。
横延伸装置３０は、送られて来る帯状のフィルム１３の進行方向の両側に配置され、進行方向に向かって徐々に広がるように配置されたガイドレール２２、２３と、それぞれローラ鎖状に連結され、ガイドレール２２、２３上をラインの進行方向に循環する複数個のテンタクリップ２１とを備えている。
【００４７】
テンタクリップ２１は、フィルム１３の端部をバネ力などで弾性的に掴むグリップ部２４と、閉ループで構成されたガイドレール２２、２３上を外輪回転で転動するガイドローラとなる転がり軸受２５、２６、２７とを有する。
【００４８】
このテンタクリップ２１は、グリップ部２４でフィルム１３の両端を掴んだ状態でガイドレール２２、２３に沿って進行方向に進み、フィルム１３を幅方向に延伸させる作用がある。ガイドレール２２、２３には、そのガイド面を水平方向に向けたレール２２と、垂直方向に向けたレール２３との２種類がある。
【００４９】
テンタクリップ２１のガイド軸受２５、２６、２７は、テンタクリップ２１を各ガイドレール２２、２３に沿って転がり案内する役割を担う。水平方向のガイド面を転動するガイド軸受２５、２６は水平方向（横姿勢）の固定軸（図中、一点鎖線で示す。）に設置され、垂直方向のガイド面を転動するガイド軸受２７は、垂直方向（縦姿勢）の固定軸（図中、一点鎖線で示す。）に設置されている。
【００５０】
したがって、これら各ガイド軸受２５、２６、２７は、いずれも外輪が回転するものである。この横姿勢および縦姿勢の固定軸に取付けられたガイド軸受２５、２６、２７の両方またはいずれか一方のものとして、図１〜４に示した実施形態の転がり軸受が用いられる。
【００５１】
このような態様により、所定構造の転がり軸受を用いてテンタクリップを支持するフィルム延伸機が、その転がり軸受について、転動体および保持器の両方から固体潤滑剤が、始動時より途切れることなく供給されるため、内・外輪の表面などの摩擦面が充分に潤滑され、フィルム延伸機の始動時から安定した延伸作用が奏され、歪みのない均質なフィルムを安定して生産できる。
【実施例１】
【００５２】
ＳＵＳ４４０Ｃ製の深溝玉軸受（ＮＴＮ社製：ＳＥＢ０８）の複数の転動体を、軸受荷重が負荷される負荷転動体（直径４ｍｍ）と軸受荷重が負荷されない非負荷転動体（直径３．９ｍｍ）で構成し、非負荷転動体はタングステン合金中に二硫化タングステン９０体積％以上を分散させた焼結材（富士ダイス社製：ＦＷＤ−ＣｕＣｏで二硫化タングステンの含有量を９０体積％としたもの）をバレル加工機で球形に研摩加工して前記直径の非負荷転動体とした。
【００５３】
得られた非負荷転動体の1つを保持器に組み込み、その他の転動体は、軸受荷重が負荷される通常の鋼球製の転動体とした。非負荷転動体の直径Ａは、負荷転動体の直径を１．０とした場合に０．９とし、保持器の表面は、転動体との摩擦面を含めて全面に、二硫化モリブデン（ＭｏＳ2）をスパッタリングにて全面被覆し、これらの部品を組み付けて実施例１の深溝玉軸受を作製した。
【実施例２】
【００５４】
実施例１において、保持器の表面は、転動体との摩擦面のみに、二硫化モリブデン（ＭｏＳ2）をスパッタリングにて全面被覆したこと以外は全く同様にして保持器を調製し、その他の部品を組み付けて実施例２の深溝玉軸受を作製した。
【実施例３】
【００５５】
実施例１において、保持器をタングステン合金中に二硫化タングステン９０体積％以上を分散させた立方体状の焼結材（富士ダイス社製：ＦＷＤ−ＣｕＣｏで二硫化タングステンの含有量を９０体積％としたもの）を用いて焼結成形にて製造し、それ以外は実施例１と全く同様にして保持器を調製し、その他の部品を組み付けて実施例３の深溝玉軸受を作製した。
【実施例４】
【００５６】
実施例３において、保持器および非負荷転動体をタングステン合金中に二硫化タングステン８０体積％を分散させた立方体状の焼結材（富士ダイス社製：ＦＷＤ−ＣｕＣｏで二硫化タングステンの含有量を８０体積％としたもの）を用いて焼結成形にて製造し、それ以外は実施例３と全く同様にして保持器を調製し、その他の部品を組み付けて実施例４の深溝玉軸受を作製した。
【００５７】
得られた実施例１〜４の固体潤滑転がり軸受について、外輪回転の条件で２００℃の雰囲気で間欠的に始動する実験を繰り返し行なったところ、軸受回転トルクが作動初期から低く安定させることができることが判明した。
【図面の簡単な説明】
【００５８】
【図１】実施形態を示す転がり軸受の要部平面図
【図２】実施形態を示す転がり軸受の要部断面図
【図３】図２のIII−III線断面図
【図４】図２のIV−IV線断面図
【図５】実施形態フィルム延伸機の概略構成図
【図６】実施形態のフィルム延伸機のテンタクリップ周辺部を示す断面図
【符号の説明】
【００５９】
１  内輪
２  外輪
３  保持器
３a  固体潤滑皮膜
４  転動体
４ａ  負荷転動体
４ｂ  非負荷転動体
１１  フィルム延伸機
１２  熱可塑性高分子化合物
１３  フィルム（原反シート）
１４  押出し機
１５  冷却ドラム
１６  送りローラ
１７  水槽
１８  水切り装置
１９  ２軸延伸機
２０  回収ローラ
２１  テンタクリップ
２２、２３  ガイドレール
２４  クリップ部
２５、２６、２７  転がり軸受
３０  横延伸装置
【図１】
2009281532.tif 000003
【図２】
2009281532.tif 000004
【図３】
2009281532.tif 000005
【図４】
2009281532.tif 000006
【図５】
2009281532.tif 000007
【図６】
2009281532.tif 000008